(57)【要約】【課題】  本考案は、携帯電話機と携帯用鏡とを一体化することにより、外出に際して必要となる携帯電話機や携帯用鏡の持参忘れを防止して携帯品の簡素化を図るようにした鏡付き携帯電話機を提供することを目的とするものである。【解決手段】  ストレートタイプ及び二つ折りタイプ又はフリップタイプの携帯電話機において、電話機本体の裏面に形成されたバッテリーカバーやダイヤルカバーの裏面部に鏡面部を形成して構成した。【選択図】      図１
0003101710.tif 000002
【実用新案登録請求の範囲】
【請求項１】
ストレートタイプ及び二つ折りタイプの携帯電話機において、電話機本体の裏面に形成されたバッテリーカバーの表面に鏡面部を形成したことを特徴とする鏡付き携帯電話機。
【請求項２】
フリップタイプの携帯電話機において、電話機本体のダイヤルカバーの裏面部に鏡面部を形成したことを特徴とする鏡付き携帯電話機。
【考案の詳細な説明】
【技術分野】
【０００１】
本考案は、携帯電話と鏡とを一体にしたな鏡付き携帯電話に関するものである。
【背景技術】
【０００２】
従来から、身だしなみを整える用具として鏡が必要となっている。特に女性にとっては外出に際して携帯用鏡を持参することは必需品となっており、切り離すことのできない化粧用具である。
【０００３】
一方、携帯電話についても現在ではほぼ一人一台という普及率であり、ほとんどの人がハンドバッグやポケットの中に入れて携行している。携帯電話機の端末形状としては、一般的にはストレートタイプ、二つ折りタイプ、そしてプリップタイプがある。しかしながら、このような携帯用鏡や携帯電話機をハンドバッグやポケット等に入れて持参する場合には、ハンドバッグやポケットが膨らんでしまい、嵩張って邪魔になるという問題を有していた。
【０００４】
また、外出する際には、財布やハンカチ等と一緒に化粧用具や携帯電話も必要なものであり、これらの忘れ物がないように本人自身がチェックするのであるが、チェック品目が多いとあわてて探したり、忘れやすい原因となっていた。
【考案の開示】
【考案が解決しようとする課題】
【０００５】
この考案は、上記従来の携帯用鏡が有している問題点を解消すると共に、携帯電話機と携帯用鏡とを一体化することにより、外出に際して必要となる携帯電話機や携帯用鏡の持参忘れを防止して携帯品の簡素化を図るようにした鏡付き携帯電話機を提供することを目的とするものである。
【課題を解決するための手段】
【０００６】
本考案は上記のような課題を解消しようとするもので、次のような手段を講じたものである。
【０００７】
登録を受けようとする第１の考案は、ストレートタイプ及び二つ折りタイプの携帯電話機において、電話機本体の裏面に形成されるバッテリーカバーの表面に鏡面部を形成したことを特徴とする鏡付き携帯電話機である。ストレートタイプや二つ折りタイプの場合には、裏面に取り付けられるバッテリーカバーの表面部分を鏡面部に形成する。
【０００８】
登録を受けようとする第２の考案は、フリップタイプの携帯電話機において、電話機本体のダイヤルカバーの裏面部に鏡面部を形成したことを特徴とする鏡付き携帯電話機である。フリップタイプの場合には、ダイヤルキーカバーの裏面、すなわち、フリップカバーを開けた際に鏡面部が表となるように鏡面を形成する。
【考案の効果】
【０００９】
第１の考案によれば、携帯用鏡と携帯電話機とを一体化したので、外出に際して携帯品の簡素化を図ることができて、必需品の携帯を忘れることが無いものとなる。また、バッテリーカバーの表面部分を鏡面部に形成するために、個別に鏡を貼り付けたりすることがないものとなる。鏡面部に形成するバッテリーカバー部の表面部分はステンレス製に形成することにより、落とした際に割れることがないものとなる。
【００１０】
第２の考案によれば、携帯用鏡と携帯電話機とを一体化したので、外出に際して携帯品の簡素化を図ることができて、必需品の携帯を忘れることが無いものとなる。また、ダイヤルキーカバーの裏面部分を鏡面部に形成するために、個別に鏡を貼り付けたりすることがないと共に、本来の使用を損なうことがない。
【実施例１】
【００１１】
以下に本考案の実施例について説明すると、図１は第１の考案に係る鏡付き携帯電話機の裏面側から見た斜視図で、二つ折りタイプの場合を示し、図２は同第１の考案に係る鏡付き携帯電話機の裏面側から見た裏面図で、ストレートタイプの場合を示す。図３は第２の考案に係る鏡付き携帯電話機の正面図で、ダイヤルキーカバーを開いた状態のフリップタイプの場合を示す。
【００１２】
図１において、１は携帯電話機の本体であり、同電話機１は二つ折りのタイプである。この携帯電話機１は回動軸１ａを中心にして液晶画面部２とダイヤル部３とに折り畳み自在となっている。携帯電話機１の裏面側には取り外しが自在なバッテリーパック４が取り付けられている。４ａはバッテリーパック４を取り外すためのフックである。
【００１３】
携帯電話機１は軽量化を図るために全体がアルミダイキャストにより、各部品が構成されており、各色にカラーコーティング処理されている。当該バッテリーパック４の表面部分は、鏡面研磨加工がなされた鏡面部５が形成されている。そして、当該鏡面部５の厚みは０．３ｍｍ〜０．８ｍｍのステンレス板により形成されている。そのために反射性が良好であり、製造コストも廉価となり、例え落とした場合であっても割れることが無いという効果を有する。
【００１４】
図２は同第１の考案に係る鏡付き携帯電話機の裏面側から見た裏面図で、ストレートタイプの場合を示してある。この携帯電話機６は表面部分に図示しないが液晶画面部とダイヤル部とが同一面に形成されている。また、携帯電話機６の裏面側には取り外しが自在なバッテリーパック７が取り付けられている。７ａはバッテリーパック７を取り外すためのフックであり、９はアンテナである。
【００１５】
当該バッテリーパック７の表面部分は、鏡面研磨加工がなされており、鏡面部８が形成されている。当該鏡面部８はその厚みが０．３ｍｍ〜０．８ｍｍのステンレス板により形成されている。そのために反射性が良好であり、製造コストも廉価となり、例え落とした場合であっても割れることが無いという効果を有する。
【００１６】
図３は第２の考案に係る鏡付き携帯電話機の正面図で、ダイヤルキーカバーを開いた状態でフリップタイプの場合を示す。この携帯電話機１０は表面部分に回転軸１０ａを介して開閉自在なカバー部１１が形成されている．このカバー部１１を開くとダイヤル部１２が露出形成されている。
【００１７】
当該カバー部９の内面部分には、鏡面研磨加工がなされており、鏡面部１３が形成されている。この鏡面部１３はその厚みが０．３ｍｍ〜０．８ｍｍのステンレス板により形成されている。そのために反射性が良好であり、製造コストも廉価となり、例え落とした場合であっても割れることが無いという効果を有する。
【産業上の利用可能性】
【００１８】
本考案は種々のタイプの携帯電話機に鏡を一体にした鏡付き携帯電話を提供することでできる。
【図面の簡単な説明】
【００１９】
【図１】第１の考案に係る鏡付き携帯電話機の裏面側から見た斜視図で、二つ折りタイプの場合を示す。
【図２】同第１の考案に係る鏡付き携帯電話機の裏面側から見た裏面図で、ストレートタイプの場合を示す。
【図３】第２の考案に係る鏡付き携帯電話機の正面図で、ダイヤルキーカバーを開いた状態でフリップタイプの場合を示す。
【符号の説明】
【００２０】
１、５、８  携帯電話機
４、６  バッテリーパック
９  カバー部
【図１】
0003101710.tif 000003
【図２】
0003101710.tif 000004
【図３】
0003101710.tif 000005